(57)【特許請求の範囲】
【請求項１】
天井材の裏側に先行配線された電力線および複数種の機能モジュールに対応する情報信号を伝送するために用いる情報線にそれぞれ電気的に接続されて、天井材に取着された天井用ゲート装置と、前記天井用ゲート装置の下面側に接続され、前記天井用ゲート装置を介して前記電力線および前記情報線に電気的に接続される機能モジュールとで構成され、
天井用ゲート装置は、天井材に取着される円柱状のゲート装置本体を備え、
当該ゲート装置本体の取付状態における下側面には、それぞれ弧状に形成された２個の電源用栓刃挿入口と、それぞれ弧状に形成された２個の情報用栓刃挿入口とが、同一の円周上に開口し、２個の電源用栓刃挿入口はゲート装置本体の下側面の中心を挟んで対角の位置に設けられるとともに、２個の情報用栓刃挿入口は前記中心を挟んで対角の位置に設けられ、機能モジュールに、前記各電源用栓刃挿入口にそれぞれ挿入される２個の電源用栓刃と、前記各情報用栓刃挿入口にそれぞれ挿入される２個の情報用栓刃とを設け、且つ、前記電源用栓刃挿入口及び前記情報用栓刃挿入口にそれぞれ対応する部位で前記ゲート装置本体の内側に、前記電力線および前記情報線にそれぞれ電気的に接続されるとともに、前記各栓刃挿入口から挿入された各栓刃をそれぞれ保持する電源用刃受部材および情報用刃受部材を２個ずつ配設し、情報用刃受部材と情報用栓刃との間で情報信号を授受することを特徴とする天井用配線システム。
【請求項２】
天井材の裏側に先行配線されて複数種の機能モジュールに対応する情報信号を電力線搬送により伝送するために用いる電力線に電気的に接続されて、天井材に取着された天井用ゲート装置と、前記天井用ゲート装置の下面側に接続され、前記天井用ゲート装置を介して前記電力線に電気的に接続される機能モジュールとで構成され、
天井用ゲート装置は、天井材に取着される円柱状のゲート装置本体を備え、
当該ゲート装置本体の取付状態における下側面には、それぞれ弧状に形成された２個の電源用栓刃挿入口と、それぞれ弧状に形成された２個の情報用栓刃挿入口とが、同一の円周上に開口し、２個の電源用栓刃挿入口はゲート装置本体の下側面の中心を挟んで対角の位置に設けられるとともに、２個の情報用栓刃挿入口は前記中心を挟んで対角の位置に設けられ、機能モジュールに、前記各電源用栓刃挿入口にそれぞれ挿入される２個の電源用栓刃と、前記各情報用栓刃挿入口にそれぞれ挿入される２個の情報用栓刃とを設け、且つ、前記電源用栓刃挿入口及び前記情報用栓刃挿入口にそれぞれ対応する部位で前記ゲート装置本体の内側に、前記電力線に電気的に接続されるとともに前記電源用栓刃挿入口から挿入された電源用栓刃を保持する２個の電源用刃受部材と、前記電力線を通じて電力線搬送により情報信号を授受する電力線搬送通信手段に接続され、前記情報用栓刃挿入口から挿入された情報用栓刃を保持する２個の情報用刃受部材とを配設し、情報用刃受部材と情報用栓刃との間で情報信号を授受することを特徴とする天井用配線システム。
【請求項３】
前記情報用栓刃および前記情報用刃受部材に代えて、機械的な保持は行わず、情報信号の接続のみを行う情報信号接続手段を設け、前記電源用栓刃と前記電源用刃受部材とで機械的な保持を行うことを特徴とする請求項１又は２記載の天井用配線システム。
【請求項４】
前記電源用栓刃および前記電源用刃受部材に代えて、機械的な保持は行わず、電源の接続のみを行う電源接続手段を設け、前記情報用栓刃と前記情報用刃受部材とで機械的な保持を行うことを特徴とする請求項１又は２記載の天井用配線システム。
【請求項５】
請求項１乃至４の何れかに記載の天井用配線システムを用いた建築物用配線システムであって、建物の壁又は床の何れか、或いは、壁及び床の両方に配設されて、前記電力線および前記情報線にそれぞれ接続される機能モジュールを設けたことを特徴とする建築物用配線システム。
【発明の詳細な説明】
【技術分野】
【０００１】
本発明は、天井用配線システム及びそれを用いた建築物用配線システムに関するものである。
【背景技術】
【０００２】
従来より、天井に取り付けられ先行配線された伝送線が接続されているベースユニットと、所望の機能を有しベースユニットに対して着脱自在に接続される機能ユニットとで構成される配線システムがあった。この配線システムでは、ベースユニットに対して機能ユニットを接続すると、機能ユニットがベースユニットを介して伝送線に接続され、伝送線を介してデータ伝送が行えるようになっている（例えば特許文献１参照）。
【特許文献１】特開平８−２９８６９０号公報（段落番号［０１０３］〜［０１０５］、及び、第３１図、第３２図）
【発明の開示】
【発明が解決しようとする課題】
【０００３】
上述の配線システムでは、ベースユニットに対して特定の機能ユニットしか接続できないため、例えば無線通信ユニットが設置されているところに、無線通信ユニットに代えて、センサユニットやカメラユニットなどの別の機能を有する機能ユニットを設置したい場合には、ベースユニットを含めてシステム全体を取り替えるか或いは追加して設置する必要があった。
【０００４】
本発明は上記問題点に鑑みて為されたものであり、その目的とするところは、所望の機能を有する機能モジュールを選択的に設置することが可能なレイアウトフリーで施工性に優れた天井用配線システム及びそれを用いた建築物用配線システムを提供することにある。
【課題を解決するための手段】
【０００５】
上記目的を達成するために、請求項１の発明は、天井材の裏側に先行配線された電力線および複数種の機能モジュールに対応する情報信号を伝送するために用いる情報線にそれぞれ電気的に接続されて、天井材に取着された天井用ゲート装置と、天井用ゲート装置の下面側に接続され、天井用ゲート装置を介して電力線および情報線に電気的に接続される機能モジュールとで構成され、天井用ゲート装置は、天井材に取着される円柱状のゲート装置本体を備え、当該ゲート装置本体の取付状態における下側面には、それぞれ弧状に形成された２個の電源用栓刃挿入口と、それぞれ弧状に形成された２個の情報用栓刃挿入口とが同一の円周上に開口し、２個の電源用栓刃挿入口はゲート装置本体の下側面の中心を挟んで対角の位置に設けられるとともに、２個の情報用栓刃挿入口は上記中心を挟んで対角の位置に設けられ、機能モジュールに、各電源用栓刃挿入口にそれぞれ挿入される２個の電源用栓刃と、各情報用栓刃挿入口にそれぞれ挿入される２個の情報用栓刃とを設け、且つ、電源用栓刃挿入口及び情報用栓刃挿入口にそれぞれ対応する部位でゲート装置本体の内側に、電力線および情報線にそれぞれ電気的に接続されるとともに、各栓刃挿入口から挿入された各栓刃をそれぞれ保持する電源用刃受部材および情報用刃受部材を２個ずつ配設し、情報用刃受部材と情報用栓刃との間で情報信号を授受することを特徴とする。
【０００６】
請求項２の発明は、天井材の裏側に先行配線されて複数種の機能モジュールに対応する情報信号を電力線搬送により伝送するために用いる電力線に電気的に接続されて、天井材に取着された天井用ゲート装置と、天井用ゲート装置の下面側に接続され、天井用ゲート装置を介して電力線に電気的に接続される機能モジュールとで構成され、天井用ゲート装置は、天井材に取着される円柱状のゲート装置本体を備え、当該ゲート装置本体の取付状態における下側面には、それぞれ弧状に形成された２個の電源用栓刃挿入口と、それぞれ弧状に形成された２個の情報用栓刃挿入口とが、同一の円周上に開口し、２個の電源用栓刃挿入口はゲート装置本体の下側面の中心を挟んで対角の位置に設けられるとともに、２個の情報用栓刃挿入口は上記中心を挟んで対角の位置に設けられ、機能モジュールに、各電源用栓刃挿入口にそれぞれ挿入される２個の電源用栓刃と、各情報用栓刃挿入口にそれぞれ挿入される２個の情報用栓刃とを設け、且つ、電源用栓刃挿入口及び情報用栓刃挿入口にそれぞれ対応する部位でゲート装置本体の内側に、電力線に電気的に接続されるとともに電源用栓刃挿入口から挿入された電源用栓刃を保持する２個の電源用刃受部材と、電力線を通じて電力線搬送により情報信号を授受する電力線搬送通信手段に接続され、情報用栓刃挿入口から挿入された情報用栓刃を保持する２個の情報用刃受部材とを配設し、情報用刃受部材と情報用栓刃との間で情報信号を授受することを特徴とする。
【０００８】
請求項３の発明は、請求項１又は２の発明において、情報用栓刃および情報用刃受部材に代えて、機械的な保持は行わず、情報信号の接続のみを行う情報信号接続手段を設け、電源用栓刃と電源用刃受部材とで機械的な保持を行うことを特徴とする。
【０００９】
請求項４の発明は、請求項１又は２の発明において、電源用栓刃および電源用刃受部材に代えて、機械的な保持は行わず、電源の接続のみを行う電源接続手段を設け、情報用栓刃と情報用刃受部材とで機械的な保持を行うことを特徴とする。
【００１０】
請求項５の発明は、請求項１乃至４の何れかに記載の天井用配線システムを用いた建築物用配線システムであって、建物の壁又は床の何れか、或いは、壁及び床の両方に配設されて、電力線および情報線にそれぞれ接続される機能モジュールを設けたことを特徴とする。
【発明の効果】
【００１１】
請求項１の発明によれば、天井材に取着された天井用ゲート装置の各栓刃挿入口に機能モジュールの各栓刃を挿入すると、電源用栓刃および情報用栓刃がそれぞれ電源用刃受部材および情報用刃受部材に保持され、機能モジュールが天井用ゲート装置を介して電力線および情報線に接続されるので、天井に設置されたゲート装置に対して機能モジュールを嵌合するだけで、機能モジュールの電力路と情報路とを同時に確保でき、しかも情報線を介して複数種の機能モジュールに対応した情報信号が伝送され、天井用ゲート装置の情報用刃受部材と機能モジュールの情報用栓刃との間で上記情報信号を授受しているので、機能モジュールに所望の機能を有するものを選択的に設置することができ、且つ、機能モジュールを、どの天井用ゲート装置にも接続することができるからレイアウトフリーで施工性に優れた天井用配線システムを提供できる。
【００１２】
請求項２の発明によれば、天井材に取着された天井用ゲート装置の各栓刃挿入口に機能モジュールの各栓刃を挿入すると、電源用栓刃および情報用栓刃がそれぞれ電源用刃受部材および情報用刃受部材に保持されるので、天井に設置されたゲート装置に対して機能モジュールを嵌合するだけで、機能モジュールの電力路と情報路とを同時に確保でき、しかも電力線を通じて複数種の機能モジュールに対応する情報信号を電力線搬送により送受信し、天井用ゲート装置の情報用刃受部材と機能モジュールの情報用栓刃との間で上記情報信号を授受しているので、機能モジュールに所望の機能を有するものを選択的に設置することができ、且つ、機能モジュールを、どの天井用ゲート装置にも接続することができるからレイアウトフリーで施工性に優れた天井用配線システムを提供できる。さらに、天井用ゲート装置は電力線搬送通信手段を備え、電力線搬送により情報信号を伝送しているので、電力線で情報線を兼用することができ、情報線を無くすことによって配線の手間を少なくできる。
【００１４】
請求項３の発明によれば、情報用栓刃および情報用刃受部材に代えて、機械的な保持は行わず、情報信号の接続のみを行う情報信号接続手段を設けているので、刃受部材による保持力を弱めて、天井用機能モジュールの着脱を小さい力で行えるようにすることができる。
【００１５】
請求項４の発明によれば、電源用栓刃および電源用刃受部材に代えて、機械的な保持は行わず、電源の接続のみを行う情報信号接続手段を設けているので、刃受部材による保持力を弱めて、天井用機能モジュールの着脱を小さい力で行えるようにすることができる。
【００１６】
請求項５の発明によれば、電力線および情報線にそれぞれ接続される機能モジュールを、壁又は床の何れか、或いは、壁及び床の両方に配設しているので、多種多様な機能を有するシステムを実現できる。
【発明を実施するための最良の形態】
【００１７】
以下に本発明の実施の形態を図面に基づいて説明する。
【００１８】
（実施形態１）
図１に本発明に係る床用配線システムを用いた建物全体の配線システムのシステム構成を示す。この建築物用配線システムでは、建物内の床、壁、天井の適所において１乃至複数の埋込ボックス９０を埋込配設してあり、始端の埋込ボックス９０に対しては、屋外より配線盤６内に引き込まれ主幹ブレーカＭＢおよび分岐ブレーカＢＢを介して屋内に引き込まれた電力線Ｌ１と、外部のインターネット網ＮＴにゲートウェイＧＷ（ルータ、ハブ内蔵）を介して接続される情報線Ｌ２とを導入する。また各埋込ボックス９０の間は造営材の裏側に先行配線された電力線Ｌ１と情報線Ｌ２とを送り配線してある。
【００１９】
天井１００に設けた埋込ボックス９０には、図２に示すような天井用ゲート装置（以下ゲート装置と略称する。）１Ａが配設される。このゲート装置１Ａのゲート装置本体１０は略円柱状であって、下端部の周面からは鍔部１０ａが全周に亘って突設されている。このゲート装置本体１０は、天井１００に設けた取付孔に下側（室内側）から挿入されて、図示しない取付金具と鍔部１０ａとの間で天井材を挟持することによって天井材に取着されるようになっている。
【００２０】
ゲート装置本体１０の上側面には、例えば従来周知の速結端子構造を有する端子部１１ａ，１１ｂ，１２ａ，１２ｂが設けられており、端子部１１ａ，１１ｂには電力線Ｌ１が、端子部１２ａ，１２ｂには情報線Ｌ２が接続されるようになっている。なお、端子部１１ａ，１１ｂの何れか一方に接続される電力線Ｌ１は他の埋込ボックス９０への送り配線となる。また端子部１２ａ，１２ｂの何れか一方に接続される情報線Ｌ２も他の埋込ボックス９０への送り配線となる。
【００２１】
一方、ゲート装置本体１０の下側面には、それぞれ弧状に開口する４個の栓刃挿入口１３，１３，１４，１４が約９０度おきに形成されており、ゲート装置本体１０の中心を挟んで対角の位置にある２個の栓刃挿入口１３，１３が電源用栓刃挿入口となり、他の２個の栓刃挿入口１４，１４が情報用栓刃挿入口となる。そして、一対の電源用栓刃挿入口１３，１３にそれぞれ対応する部位で、ゲート装置本体１０の内側には、電力線Ｌ１に電気的に接続されるとともに、各電源用栓刃挿入口１３の一端側の幅広部１３ａから挿入された後述の電源用引掛栓刃２２が各電源用栓刃挿入口１３の他端側に移動したときに各電源用引掛栓刃２２をそれぞれ保持する一対の電源用引掛刃受部材１５，１５を配設してある。同様に、一対の情報用栓刃挿入口１４，１４にそれぞれ対応する部位で、ゲート装置本体１０の内側には、情報線Ｌ２に電気的に接続されるとともに、各情報用栓刃挿入口１４の一端側の幅広部１４ａから挿入された後述の情報用引掛栓刃２３が各情報用栓刃挿入口１４の他端側に移動したときに各情報用引掛栓刃２３をそれぞれ保持する一対の情報用引掛刃受部材１６，１６を配設してある。ここに、各栓刃挿入口１３，１４の開口部の形状や各引掛刃受部材１５，１６の形状はシステムとして定形化（規格化）されている。
【００２２】
次に天井用ゲート装置１Ａに接続される機能モジュール２ａについて図３（ａ）（ｂ）を参照して説明する。この機能モジュール２ａは監視カメラによる監視機能を有しており、略円盤型の器体２０の下側面に透光性を有するドーム型の保護カバー２１を設け、この保護カバー２１の内部に監視カメラ（図示せず）を配置してある。また、器体２０の上側面には、ゲート装置１Ａに設けた各一対の電源用栓刃挿入口１３及び情報用栓刃挿入口１４にそれぞれ対応する部位に、各栓刃挿入口１３，１４にそれぞれ挿入される各一対の電源用引掛栓刃２２と情報用引掛栓刃２３とを設けてある。この機能モジュール２ａをゲート装置１Ａに取り付けるに当たっては、機能モジュール２ａの器体２０をゲート装置１Ａに下側から近付けて、各引掛栓刃２２，２３をゲート装置本体１０に設けた各栓刃挿入口１３，１４の一端側の幅広部１３ａ，１４ａに挿入した後、機能モジュール２ａの器体２０を回転させると、各引掛栓刃２２，２３が各栓刃挿入口１３，１４の他端部に移動して各引掛刃受部材１５，１６に保持されることで、機能モジュール２ａがゲート装置１Ａに取着される（図４参照）。またこの時、機能モジュール２ａの各引掛栓刃２２，２３が各引掛刃受部材１５，１６に電気的に接続されるので、機能モジュール２ａがゲート装置１Ａを介して電力線Ｌ１および情報線Ｌ２に電気的に接続されることになる。
【００２３】
機能モジュール２ａの器体２０内には図７に示すような構成の回路が内蔵されている。すなわち機能モジュール２ａは、電源用引掛栓刃２２を介して接続される商用電源ＡＣを整流、平滑して安定した直流電圧からなる内部回路の動作電源（＋Ｖ）を得るＡＣ／ＤＣコンバータ３０と、情報用引掛栓刃２３を介して接続される情報線Ｌ２を通じて情報信号の送受信を行う送受信部３１と、この送受信部３１で受信される情報信号からデータを取り込んで処理を行う演算処理部３２と、Ｉ／Ｏインターフェース３３を介して演算処理部３２との間でデータの授受を行って動作する機能部３４とを備えており、この機能部３４の構成が機能モジュールの種類によって異なるのである。
【００２４】
ここに、機能モジュール２ａは、外部から入力される制御信号に応じて監視カメラ３６を動作させるとともに、監視カメラ３６で撮像した画像データを情報線Ｌ２に出力する監視カメラ機能を有しており、その機能部３４は、ＣＣＤカメラのような監視カメラ３６と、Ｉ／Ｏインターフェース３３を介して演算処理部３２から入力された制御信号にもとづいて監視カメラ３６を動作させるとともに、監視カメラ３６で撮影された画像データを圧縮して、Ｉ／Ｏインターフェース３３を介して演算処理部３２に出力するＣＰＵ部３５とで構成される。
【００２５】
なお、本実施形態では機能モジュール２ａが監視カメラによる監視機能を備えているが、天井用機能モジュールの機能をカメラ機能に限定する趣旨のものではなく、例えば図１及び図８（ａ）に示すように照明器具の引掛プラグに対応した引掛栓刃接続部８１を持つ引掛シーリングローゼット型の機能モジュール２ｂや、ＢＧＭや音声を流すためのスピーカＳＰを持つ機能モジュール２ｃを用いても良いし、図８（ｂ）（ｃ）に示すように熱又は煙の感知センサ（図示せず）を備えた火災感知機能を有する機能モジュール２ｄや、ＰＩＲセンサからなる人感センサ（図示せず）を備えたセンサ型の機能モジュール２ｅを用いても良い。
【００２６】
またゲート装置１Ａに機能モジュール２ａ…を接続しない場合には、図２に示すような化粧プレート４をゲート装置１Ａに取着すれば良い。化粧プレート４は、ゲート装置１Ａの前面と略同じ寸法の円板形状に形成され、ゲート装置１Ａ側の表面には各引掛栓刃２２，２３と略同じ形状の４個の取付爪４ａが突設されている。而して、この化粧プレート４は機能モジュール２ａ…と同様の手順でゲート装置１Ａに取り付けることができ（図６参照）、機能モジュール２ａ…を接続しない場合には各栓刃挿入口１３，１４を化粧プレート４で塞ぐことができる。尚本実施形態では板状の化粧プレート４を用いているが、ゲート装置１Ａの栓刃挿入口１３，１４を塞ぐことができればどのような形態のものでも良く、立体的な形状の化粧カバーを用いても良い。
【００２７】
ところで、上述のゲート装置１Ａは天井材の下側面に取り付けられるのであるが、本システムでは建物の壁１０１や床１０２に埋設された埋込ボックス９０内にもゲート装置１Ｂを配設し、このゲート装置１Ｂに所望の機能を有する機能モジュール３ａ…を取り付けてある。
【００２８】
ゲート装置１Ｂは、上述のゲート装置１Ａと同様、図９に示すように例えば従来周知の速結端子構造を有する端子部１１ａ，１１ｂ，１２ａ，１２ｂを備えており、端子部１１ａ，１１ｂには埋込ボックス９０内に導入された上記の電力線Ｌ１が、端子部１２ａ，１２ｂには埋込ボックス９０内に導入された上記の情報線Ｌ２がそれぞれ接続されるようになっている。ここで、端子部１１ａ，１１ｂの何れか一方に接続される電力線Ｌ１は他の埋込ボックス９０への送り配線となり、端子部１２ａ，１２ｂの何れか一方に接続される情報線Ｌ２も他の埋込ボックス９０への送り配線となっている。
【００２９】
一方、ゲート装置１Ｂの前面（室内側の面）には、図１に示すように端子部１１ａ，１１ｂに電気的に接続された導電部を備えて、端子部１１ａ，１１ｂに接続される電力線Ｌ１を外部の電力路に接続するための電力路接続口１７ａと、端子部１２ａ，１２ｂに接続される情報線Ｌ２と電気的に接続されている導電部を備えて情報線Ｌ２を外部の情報路に接続するための情報路接続口１７ｂとが設けられている。ここに、各接続口１７ａ，１７ｂは、それぞれ、導電部の配列や開口部の形状をシステムとして定形化（規格化）してある。
【００３０】
次に壁１０１に設けたゲート装置１Ｂに接続される機能モジュール３ａ…について図１および図９を参照して説明する。この機能モジュール３ａは、ゲート装置１Ｂの各接続口１７ａ，１７ｂにそれぞれ対応した形態に規格化された電力用コネクタ２４ａおよび情報用コネクタ２４ｂを背面側に設けてあり、これらのコネクタ２４ａ，２４ｂをゲート装置１Ａの各接続口１７ａ，１７ｂに接続することによって、ゲート装置１Ａの器体の前面側に機能モジュール３ａ…の器体を重ねた状態で取着することができ、また機能モジュール３ａ…の電力路および情報路を同時に確保できるようになっている。
【００３１】
機能モジュール３ａの器体内には図９に示すような構成の回路が内蔵されている。この機能モジュール３ａは、照明器具などをオン／オフ操作するためのスイッチＳＷ１，ＳＷ２を備えた操作スイッチ型の機能モジュールであり、以下の構成を備えている。すなわち機能モジュール３ａは、電力用コネクタ２４ａを介して接続される商用電源ＡＣを整流、平滑して安定した直流電圧からなる内部回路の動作電源（＋Ｖ）を得るＡＣ／ＤＣコンバータ３０と、情報用コネクタ２４ｂを介して接続される情報線Ｌ２を通じて情報信号の送受信を行う送受信部３１と、この送受信部３１で受信される情報信号からデータを取り込んで処理を行う演算処理部３２と、Ｉ／Ｏインターフェース３３を介して演算処理部３２との間でデータの授受を行って動作する機能部３４とを設けてあり、この機能部３４の構成が機能モジュールの種類によって異なるのである。
【００３２】
ここに、機能モジュール３ａは操作スイッチとしての機能を有しており、その機能部３４は、スイッチＳＷ１，ＳＷ２の操作を監視して、スイッチＳＷ１，ＳＷ２が操作されるとＩ／Ｏインターフェース３３を介して演算処理部３２へ操作信号を出力するＣＰＵ部３７から構成されている。
【００３３】
なお、壁や床に配設されたゲート装置１Ｂに接続される機能モジュール３ａ…の機能をスイッチ機能に限定する趣旨のものではなく、機能モジュールの種類に合わせて機能部３４の構成を適宜変更すれば良い。例えば図１に示すように、壁１０１に設けたゲート装置１Ｂに接続する機能モジュールとして、モニタ装置Ｍを備えた機能モジュール３ｂや、空調機器のコントローラ等の操作器型機能モジュール（図示せず）などがある。また床１０２に設けたゲート装置１Ｂに接続する機能モジュールとしては、電源プラグ用のコンセント部８２を備えた機能モジュール３ｃや、スピーカＳＰを備えた機能モジュール３ｄなどを用いても良く、機能モジュールの種類に合わせて機能部３４の構成を適宜変更すればよい。
【００３４】
而して、本発明の天井用配線システムを用いた建築物用配線システムを使用するに当たっては、建物内の適所（天井１００、壁１０１又は床１０２）に埋設された埋込ボックス９０内に導入されている電力線Ｌ１および情報線Ｌ２をゲート装置１Ａ，１Ｂに接続した後、これらのゲート装置１Ａ，１Ｂを埋込ボックス９０に取り付ける。次に天井用のゲート装置１Ａの各栓刃挿入口１３，１４の一端側（幅広部１３ａ，１４ａ）に、天井用の機能モジュール２ａ…の各引掛栓刃２２，２３を挿入した後、機能モジュール２ａ…を回転させて各引掛栓刃２２，２３を各栓刃挿入口１３，１４の他端側へ移動させると、各引掛栓刃２２，２３が対応する引掛刃受部材１５，１６に保持され、機能モジュール２ａが天井１００に取着される（図５参照）。この保持状態において、機能モジュール２ａ…はゲート装置１Ａを介して電力線Ｌ１および情報線Ｌ２に接続され、電力線Ｌ１を介して電源が供給されるとともに、情報線Ｌ２を介して情報信号の授受が行えるのである。またゲート装置１Ｂの前面部に設けられた電力路接続口１７ａ及び情報路接続口１７ｂに対して、機能モジュール３ａ…の対応するコネクタ２４ａ，２４ｂを接続することにより、ゲート装置１Ｂの前面部を覆うようにして機能モジュール３ａ…が取り付けられる。この取付状態において、各機能モジュール３ａ…はゲート装置１Ｂを介して電力線Ｌ１および情報線Ｌ２に接続され、電力線Ｌ１を介して電源が供給されるとともに、情報線Ｌ２を介して情報信号の授受が行えるのである。
【００３５】
ここで、ゲート装置１Ａに接続される情報線Ｌ２は複数種の機器に用いられる情報信号の信号伝送を行うものであり、例えば電話、ＬＡＮなどのネットワーク機器、ＴＶ、インターホン、各種センサなどに用いられる情報信号や、照明器具などの機器を制御するための制御信号の信号伝送に用いられる。したがって、ゲート装置１Ａの情報用引掛刃受部材１６と、機能モジュール２ａ…の情報用引掛栓刃２３との間で、複数種の機器用の情報信号が授受されるから、機能モジュール２ａ…に所望の機能を有するものを選択的に設置することができ、機能モジュール２ａ…の機能拡張や機能の変更にも容易に対応することができる。
【００３６】
なお、本発明の天井用配線システムを用いた建築物用配線システムにおいて、情報信号を伝送する方式としては、ベースバンド伝送又はブロードバンド伝送の何れを採用しても良く、またプロトコルも何れでも良いが、音声、映像などを用いるインターホンの親機、子機との間にはＪＴ−Ｈ２３２パケットに基づいて音声・映像を相互に伝送することとし、また制御系にあっては操作側からの操作データにより１乃至複数の負荷を操作できるような１対１又は１対Ｎの対応が可能なユニキャスト或いはブロードキャストに対応する経路制御プロトコルを採用すれば良く、特に限定されるものではないので、説明は省略する。また、ゲート装置１Ａ，１Ｂ間の使用プロトコルと、ゲート装置１Ａ，１Ｂに接続される機能モジュール２ａ…，３ａ…での使用プロトコルを異ならせ、例えばゲート装置１Ａ，１Ｂにおいてプロトコル変換を行うようにしても良い。
【００３７】
（実施形態２）
本発明の実施形態２について図１０に基づいて説明する。上述の実施形態１では情報路と電力路とを別々にしているため、ゲート装置１Ａ，１Ｂには電力線Ｌ１と情報線Ｌ２とを夫々接続しているが、電力線搬送によって情報信号の伝送を行えば、電力路を情報路として用いることもできるため、配線を電力線Ｌ１のみとすることができる。つまり、実施形態１の配線システムにおいて、各埋込ボックス９０での先行配線は電力線Ｌ１のみとし、これに対応してゲート装置１Ａに、電力線Ｌ１を通じて供給される電源から情報信号を分離して取り出すＰＬＣモデム部（電力線通信手段）１８を設けてあり、ＰＬＣモデム部１８の情報入出力端子を情報用引掛刃受部材１６，１６に接続してある。同様にゲート装置１Ｂにおいても、電力線Ｌ１を通じて供給される電源から情報信号を分離して取り出すＰＬＣモデム部を設け、ＰＬＣモデム部の情報入出力端子を情報路接続口１７ｂに接続すれば良い。尚、ＰＬＣモデム部１８以外の構成は実施形態１と同様であるので、共通する構成要素には同一の符号を付してその説明は省略する。
【００３８】
ここで、ゲート装置１Ａに接続される電力線Ｌ１は、複数種の機器用の情報信号を電力線搬送により伝送するために用いられるものであり、例えば電話、ＬＡＮなどのネットワーク機器、ＴＶ、インターホン、各種センサなどに用いられる情報信号や、照明器具などの機器を制御するための制御信号の信号伝送に用いられる。ゲート装置１Ａには電力線Ｌ１を通じて電力線搬送により情報信号を送受信するＰＬＣモデム部１８が設けられてるので、ゲート装置１Ａの情報用引掛刃受部材１６と、機能モジュール２ａ…の情報用引掛栓刃２３との間で、複数種の機器用の情報信号が授受されるから、機能モジュール２ａ…に所望の機能を有するものを選択的に設置することができ、機能モジュール２ａ…の機能拡張や機能の変更にも容易に対応することができる。
【００３９】
また上述のように本実施形態では、ゲート装置１ＡにＰＬＣモデム部１８を設け、ＰＬＣモデム部１８により電源から分離された情報信号を機能モジュール２ａの送受信部３１に出力するとともに、送受信部３１から入力された情報信号を電源に重畳させて電力線Ｌ１に出力しているので、電力線Ｌ１で情報線Ｌ２を兼用でき、情報線Ｌ２が不要になるから、配線の手間を少なくできるという利点がある。
【００４０】
尚、ＰＬＣモデム部１８で採用する電力線搬送の変調方式としては広帯域スペクトラム拡散方式、マルチキャリア方式、ＯＦＤＭ方式等各種方式の何れでも良いので、ここでは特に説明はしない。
【００４１】
（参考例）
本発明の参考例について図１１に基づいて説明する。上述の実施形態２ではゲート装置１ＡにＰＬＣモデム部１８を設けているが、本実施形態では電源用引掛栓刃２２と情報用引掛栓刃２３とを同一の引掛栓刃２２で構成するとともに、電源用引掛刃受部材１５と情報用引掛刃受部材１６とを同一の引掛刃受部材１５で構成し、電力線Ｌ１を通じて供給される電源から情報信号を分離して取り出すＰＬＣモデム部（電力線通信手段）３８を機能モジュール２ａ側に設けてある。尚、端子部１２ａ，１２ｂと引掛刃受部材１５と引掛栓刃２３とを無くして、ＰＬＣモデム部３８を設けた点以外は実施形態１と同様であるので、共通する構成要素には同一の符号を付してその説明は省略する。
【００４２】
ここで、ゲート装置１Ａに接続される電力線Ｌ１は、複数種の機器用の情報信号を電力線搬送により伝送するために用いられるものであり、例えば電話、ＬＡＮなどのネットワーク機器、ＴＶ、インターホン、各種センサなどに用いられる情報信号や、照明器具などの機器を制御するための制御信号の信号伝送に用いられる。そして機能モジュール２ａには電力線Ｌ１を通じて電力線搬送により情報信号を送受信するＰＬＣモデム部３８が設けられており、ＰＬＣモデム部３８により複数種の機器用の情報信号を授受することができるので、機能モジュール３ａ…に所望の機能を有するものを選択的に設置することができ、機能モジュール３ａ…の機能拡張や機能の変更にも容易に対応することができる。
【００４３】
上述のように本参考例では、機能モジュール２ａ側にＰＬＣモデム部３８を設け、ＰＬＣモデム部３８により電源から分離された情報信号を送受信部３１に出力するとともに、送受信部３１から入力された情報信号を電源に重畳させゲート装置１Ａを介して電力線Ｌ１に出力しているので、電力線Ｌ１で情報線Ｌ２を兼用でき、情報線Ｌ２が不要になるから、配線の手間を少なくできるという利点がある。
【００４４】
尚、ＰＬＣモデム部１８で採用する電力線搬送の変調方式としては広帯域スペクトラム拡散方式、マルチキャリア方式、ＯＦＤＭ方式等各種方式の何れでも良いので、ここでは特に説明はしない。
【００４５】
（実施形態３）
本発明の実施形態３を図１２に基づいて説明する。上述の実施形態１、２では、ゲート装置１Ａに各一対の電源用引掛刃受部材１５，１５と情報用引掛刃受部材１６とを設けるとともに、機能モジュール２ａ…に各引掛刃受部材１５，１６に対応して各一対の電源用引掛栓刃２２，２２と情報用引掛栓刃２３，２３とを設けており、４本の引掛栓刃２２，２３を対応する引掛刃受部材１５，１６に引掛係止させることで、機能モジュール２ａ…をゲート装置１Ａに取着しているのに対して、本実施形態では図１２に示すように情報用引掛栓刃２３に代えて、平板状の接続端子２５，２５を器体２０上面の所定位置に配設してある。またゲート装置１Ａでは、情報用引掛刃受部材１６に代えて、ゲート装置本体１０の下側面に、電源用引掛栓刃２２を電源用栓刃挿入口１３の他端側（幅広部１３ａと反対側）まで移動させた時に、機能モジュール２ａの接続端子２５，２５にそれぞれ摺接する平板状の接続端子１９を設けてある。尚、引掛栓刃２３および引掛刃受部材１６に代えて、接続端子１９，２５を設けた点以外は上述の実施形態１、２と同様であるので、共通する構成要素には同一の符号を付して、その説明は省略する。
【００４６】
本実施形態では情報用引掛栓刃２３および情報用引掛刃受部材１６に代えて、接続端子１９，２５を設けているので、機能モジュール２ａをゲート装置１Ａに接続する際には、電源用栓刃挿入口１３の一端側（幅広部１３ａ）に、機能モジュール２ａの電源用引掛栓刃２２を挿入した後、機能モジュール２ａを回転させて各引掛栓刃２２を各栓刃挿入口１３の他端側へ移動させると、各引掛栓刃２２が対応する引掛刃受部材１５に保持されるとともに、ゲート装置１Ａ側の各接続端子１９が機能モジュール２ａ側の各接続端子２５に摺接する。而して、この保持状態において、機能モジュール２ａはゲート装置１Ａを介して電力線Ｌ１および情報線Ｌ２に接続され、電力線Ｌ１を介して電源が供給されるとともに、情報線Ｌ２を介して情報信号の授受が行えるのである。また上述の実施形態１、２では、４本の引掛栓刃２２，２３が対応する引掛刃受部材１５，１６と引掛係止しているので、引掛係止させるのに大きな力が必要になり、また機能モジュール２ａを外す際にも大きな力が必要になる。それに対して、本実施形態では情報用引掛栓刃２３および情報用引掛刃受部材１６に代えて、機械的な保持は行わず、情報信号の接続のみを行う接続端子（情報信号接続手段）１９，２５を設けているので、引掛刃受部材による保持力を弱めて、天井用機能モジュール２ａの着脱を小さい力で行えるようにすることができる。なお、本実施形態では情報信号接続手段として、互いに摺接する接続端子１９，２５を設けているが、機械的な保持は行わずに、情報信号の接続のみを行うような接続手段であれば、光信号を用いて非接触で信号伝送を行う手段や、差込栓刃と刃受部材との組み合わせからなる接続手段などどのような形態のものを用いても良い。
【００４７】
また本実施形態では、情報用引掛栓刃２３および情報用引掛刃受部材１６に代えて、接続端子１９，２５を設けているが、上述の実施形態１、２において、情報用引掛栓刃２３および情報用引掛刃受部材１６は残し、電源用引掛栓刃２２および電源用引掛刃受部材１５に代えて、上述の接続端子１９，２５を設けるようにしても良く、ゲート装置１Ａと機能モジュール２ａとの間で接続端子１９，２５を介して電源供給を行うとともに、引掛栓刃２３および引掛刃受部材１５を介して情報信号の授受を行うことができる。なおこの場合にも、電源接続のための接続端子（電源接続手段）１９，２５は、機械的な保持は行わず、電源の接続のみを行っているので、引掛刃受部材による保持力を弱めて、天井用機能モジュール２ａの着脱を小さい力で行えるようにすることができる。なお、本実施形態では電源接続手段として、互いに摺接する接続端子１９，２５を設けているが、機械的な保持は行わずに、電源の接続のみを行うような接続手段であれば、磁気結合により非接触で給電する手段や、差込栓刃と刃受部材との組み合わせからなる接続手段などどのような形態のものを用いても良い。
【図面の簡単な説明】
【００４８】
【図１】実施形態１のシステム構成図である。
【図２】同上に用いるゲート装置からカバープレートを外した状態の分解斜視図である。
【図３】同上に用いる機能モジュールを示し、（ａ）は正面より見た外観斜視図、（ｂ）は背面より見た外観斜視図である。
【図４】同上に用いるゲート装置に機能モジュールを取着した状態の外観斜視図である。
【図５】同上に用いるゲート装置および機能モジュールを天井に取り付けた状態の説明図である。
【図６】同上に用いるゲート装置にカバープレートを取着した状態の外観斜視図である。
【図７】（ａ）は同上に用いる天井用ゲート装置および天井用機能モジュールのブロック図、（ｂ）は天井用機能モジュールの要部ブロック図である。
【図８】（ａ）〜（ｃ）は同上に用いる機能モジュールの他の構成の正面図である。
【図９】（ａ）は同上に用いるゲート装置および機能モジュールのブロック図、（ｂ）は機能モジュールの要部ブロック図である。
【図１０】実施形態２に用いる天井用ゲート装置および天井用機能モジュールのブロック図である。
【図１１】参考例に用いる天井用ゲート装置および天井用機能モジュールのブロック図である。
【図１２】実施形態３に用いる天井用ゲート装置から天井用機能モジュールを外した状態の分解斜視図である。
【符号の説明】
【００４９】
１Ａ，１Ｂ  ゲート装置
２ａ…  機能モジュール
３ａ…  機能モジュール
１３  電源用栓刃挿入口
１４  情報用栓刃挿入口
９０  埋込ボックス
１００  天井
１０１  壁
１０２  床
Ｌ１  電力線
Ｌ２  情報線
【図１】
0004591331.tif 000002
【図２】
0004591331.tif 000003
【図３】
0004591331.tif 000004
【図４】
0004591331.tif 000005
【図５】
0004591331.tif 000006
【図６】
0004591331.tif 000007
【図７】
0004591331.tif 000008
【図８】
0004591331.tif 000009
【図９】
0004591331.tif 000010
【図１０】
0004591331.tif 000011
【図１１】
0004591331.tif 000012
【図１２】
0004591331.tif 000013